【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
ピペット操作のために液体試薬又は液体試料を保持する１つ又はそれよりも多くのレセプタクルを含み、各レセプタクルは、底壁と、ピペット操作のために液体試料又は液体試薬を保持する前記レセプタクル内に上向きに曝される、前記底壁の上面にある、少なくとも１つのグループの相互接続された真空防止チャネルとを含む、ピペット操作容器。
【請求項２】
当該ピペット操作容器は、ＰＣＲ試薬及び試料を収容し且つ熱循環するのためにポリプロピレンで作られるチューブ本体を含むＰＣＲチューブであり、前記チューブ本体は、上方円筒壁と、下方テーパ壁と、該下方テーパ壁の底に配置される底壁と、該底壁が前記下方テーパ壁に移行する移行部分とを有し、前記相互接続された真空防止チャネルのグループが、主として前記底壁の上面に配置され、前記相互接続された真空防止チャネルのグループは、一対の垂直な交差するチャネルであって、前記チャネルの交差部は、前記グループの中心点を画定する、一対の垂直な交差するチャネルと、前記中心点の周りで中心化され、前記垂直な交差するチャネルの各々と交差する、円形チャネルとを含み、前記垂直な交差するチャネルは、前記底壁を越えて、前記移行部分を通じて、前記下方テーパ壁まで延び、前記チャネルの幅は、前記チャネルが前記底壁に配置されるときに、０．５ミリメートル±０．１ミリメートルであり、或いは当該ピペット操作容器は、ＰＣＲストリップ上の線内に或いはＰＣＲプレート上のマトリックス内に配置される複数の前記ＰＣＲチューブを含む、請求項１に記載のピペット操作容器。
【請求項３】
手持ち式ピペットと共に使用する実験室貯槽キットであって、
平坦な表面で安定した支持をもたらす再使用可能な貯槽ベースと、
使い捨て可能なライナとを含み、
前記貯槽ベースは、細長いバシンを有し、該バシンは、一対の端壁と、該バシンの底面に沿って延びる長手方向のトラフと、前記端壁の間に延びる一対の長手方向の側壁とを含み、各々の長手方向の側壁は、前記側壁が上向きに延びるにつれて外向きに傾斜して、前記バシンの一部を形成し、
前記使い捨て可能なライナは、ピペット操作のために液体試料又は液体試薬を保持する少なくとも１つのライナバシンを定める、一対の長手方向の側壁、及び前記端壁の間に延びる長手方向のトラフであって、長手方向のトラフは、丸みを帯びた断面を備える底と、前記トラフの中心線に沿う低い点とを有する、長手方向のトラフと、前記使い捨て可能なライナが前記再使用可能なベース内の所定の場所に設置されるときに、前記再使用可能なベースのリムの上に載るように、前記ライナバシンの頂部から上向きに延びる、周縁フランジと、ピペット操作のたに液体試料又は液体試薬を保持する前記ライナバシン内に上向きに曝される、前記トラフの中心線に沿って配置される前記ライナトラフの前記底の上面にある、複数のグループの相互接続された真空防止チャネルとを含む、
実験室貯槽キット。
【請求項４】
真空防止チャネルの各グループは、少なくとも一対の交差するチャネルを含み、前記使い捨て可能なライナは、隣接するグループを流体動的に接続するためにグループの間に延びる追加的なチャネルを含む、請求項３に記載の実験室貯槽キット。
【請求項５】
前記使い捨て可能なライナは、成形ポリスチレン及び成形ポリプロピレンのうちの１つで作られ、前記長手方向のトラフが、処理前と比較して増大した湿潤性を有するよう、コロナ処理され或いは他の方法で処理され、好ましくは、前記長手方向のトラフの前記上面の測定される表面張力が天然水についての表面張力である７２ダイン／センチメートル以上であるように処理される、請求項３に記載の実験室貯槽キット。
【請求項６】
前記使い捨て可能なライナは、前記ライナ内に２つの別個のバシンを作るように前記ライナの前記長手方向の側壁の間に架かる壁を含む、請求項３に記載の実験室貯槽キット。
【請求項７】
当該ピペット操作容器は、再使用可能なベース内に位置するように構成される使い捨て可能なライナであり、該ライナは、前記容器レセプタクルを複数の別個のバシンに分離する複数の直立壁を含み、各直立壁は、前記容器レセプタクルの前記底壁で封止される底端を有し、前記底壁の前記上面は、前記複数の別個のバシンの各々において前記底壁の前記上面に複数のグループの相互接続された真空防止チャネルを含む、請求項１に記載のピペット操作容器。
【請求項８】
前記再使用可能なベースは、ＳＢＳフォーマットされたウェルプレート及び貯槽を保持するように構成されるネスト内に嵌入するような寸法とされる外壁フランジを有し、前記使い捨て可能なライナの前記底壁は、ピペット先端のマトリックスが前記複数の別個のバシンから液体を同時に吸引するのを可能にするように構成される、或いは代替的にピペットの列が所与の時刻に単一のバシンから吸引することを可能にするように構成される、概ね長方形の形状を有し、
前記使い捨て可能なライナの前記底壁は、１２個の列及び８個の行に配置された９６フォーマットのグループの真空防止チャネルのマトリックスを含み、各グループについての中心点は、隣接する９６フォーマットの真空防止チャネルのグループの中心点から１９ミリメートル離間し、
前記使い捨て可能なライナの前記底壁は、３８４フォーマットのグループの真空防止チャネルのマトリックスも含み、各グループについての中心点は、隣接する３８４フォーマットのグループの中心点から４．５ミリメートル離間し、各９６フォーマットのグループは、４個の３８４フォーマットの真空防止チャネルのグループと相互接続され、
前記封止される壁は、前記容器レセプタクルを別個のバシンに分離し、各バシンは、少なくとも１つの列又は少なくとも１つの行の９６フォーマットの真空防止チャネルのグループを含む、
請求項７に記載のピペット操作容器。
【請求項９】
当該ピペット操作容器は、マイクロプレートであり、
ＳＢＳフォーマットされたマイクロプレートを保持するように構成されたネスト内に嵌入するような寸法とされる外壁フランジを備える端壁及び側壁と、
行列に配置される複数の前記レセプタクルであって、各レセプタクルは、ある容積の液体試料又は液体試薬を保持するように構成される、複数の前記レセプタクルとを含み、
前記マイクロプレートは、
各列内の８個のレセプタクル及び各行内の１２個のレセプタクルを備える前記レセプタクルの９６個のマトリックスと、各レセプタクル内の真空防止チャネルのグループとを含み、各グループについての中心点が隣接するレセプタクル内のグループの中心点から９ミリメートル離間するか、或いは、
各列内の１６個のレセプタクル及び各行内の２４個のレセプタクルを備える前記レセプタクルの３８４個のマトリックスと、真空防止チャネルのグループとを含み、各グループについての中心点が隣接するレセプタクル内のグループの中心点から４．５ミリメートル離間する、
請求項１に記載のピペット操作容器。
【請求項１０】
当該ピペット操作容器は、液体医療又は液体試薬を保持する実験室貯槽であり、
バシンを含み、該バシンは、一対の端壁と、該端壁の間に延びる一対の長手方向の側壁と、前記端壁の下端と前記側壁の下端との間に架かる平坦な底壁とを含み、該平坦な底壁は、液体試料又は液体試薬を保持する容積に向かって上向きに曝される複数のグループの相互接続された真空防止チャネルを備える上面を有し、前記底壁は、ピペット先端のマトリックスが前記バシンから液体試料又は液体試薬を同時に吸引するのを可能にするように構成される概ね四角形の形状を更に有し、前記貯槽は、ＳＢＳフォーマットされるウェルプレート及び貯槽を保持するように構成されるネスト内に嵌入するような寸法とされた外壁フランジを有し、前記貯槽の前記底壁は、９６フォーマットのグループの相互接続された真空防止チャネルのマトリックスを含み、各グループについての中心点が隣接するグループの中心点から９ミリメートル離間し、或いは、前記貯槽の前記底壁は、９６フォーマットのグループの相互接続された真空防止チャネルのマトリックスを含み、各グループについての中心点が前記隣接する９６フォーマットのグループの中心点から９ミリメートル離間し、且つ、前記貯槽の前記底壁は、３８４フォーマットのグループの相互接続された真空防止チャネルのマトリックスを含み、各グループについての中心点が隣接する３８４フォーマットのグループの中心点から４．５ミリメートル離間し、各９６フォーマットのグループの相互接続された真空防止チャネルは、４個の３８４フォーマットのグループの相互接続された真空防止チャネルと相互接続される、
請求項１に記載のピペット操作容器。
【請求項１１】
前記貯槽は、９６フォーマットのグループの相互接続された真空防止チャネルの隣接する列の間に又は９６フォーマットのグループの相互接続された真空防止チャネルの隣接する行の間に前記底壁から上向きに延びる封止された壁を更に含む、請求項９に記載のピペット操作容器。
【請求項１２】
前記１つ又はそれよりも多くのレセプタクルの前記底壁の上記上面にある前記真空防止チャネルは、約０．５ミリメートル±０．１ミリメートルの一定の厚さと、０．３ミリメートル±０．１ミリメートルの一定の深さとを有する、請求項１に記載のピペット操作容器。
【請求項１３】
前記底壁の前記上面は、前記真空防止チャネルの少なくとも１つのグループを含み、前記真空防止チャネルの前記少なくとも１つのグループは、第１のペアの垂直な交差するチャネルを含み、前記チャネルの交差部が前記グループについての中心点を定め、前記真空防止チャネルの前記少なくとも１つのグループは、前記第１のペアから４５°回転させられた第２のペアの垂直なチャネルを含み、該第２のペアのチャネルは、前記中心点で交差するように整列させられるが、前記中心点の近傍において中断され、少なくとも１つの円形チャネルが、前記第１及び第２のペアのチャネルの各々と交差する、請求項１に記載のピペット操作容器。
【請求項１４】
前記１つ又はそれよりも多くのレセプタクルは、各々、前記底壁の前記上面に少なくとも１つのグループの相互接続された真空防止チャネルを有し、前記少なくとも１つのグループの相互接続された真空防止チャネルを含む前記上面の前記部分は平坦であり、当該ピペット操作容器は、成形ポリスチレン又は成形ポリプロピレンの１つで作られ、前記レセプタクルの前記底壁が処理前の前記底壁と比較して増大した湿潤性を有するよう、コロナ処理され或いはその他の方法で処理され、好ましくは、前記レセプタクルの前記底壁の前記上面の前記測定される表面張力が天然水についての表面張力である７２ダイン／センチメートル以上であるよう処理される、請求項１に記載のピペット操作容器。
【請求項１５】
当該ピペット操作容器は、円筒側壁と、前記底壁の前記上面にある単一のグループの相互接続された真空防止チャネルとを有する、実験室チューブであり、前記底壁の前記上面の少なくとも一部分は平坦であり、前記単一のグループの相互接続された真空防止チャネルを備える前記底壁の前記上面の前記一部分は、前記相互接続される真空防止チャネルを除いて平坦である、請求項１に記載のピペット操作容器。
【請求項１６】
前記底壁上の前記単一のグループの相互接続された真空防止チャネルは、第１のペアの垂直な交差するチャネルであって、該チャネルの交差部は、前記グループについての中心点を画定する、第１のペアのチャネルと、前記第１のペアから４５°回転させられた第２のペアの垂直なチャネルであって、前記中心点で交差するように整列させられるが、前記中心点の近傍で中断される、第２のペアのチャネルと、前記第１及び第２のペアの垂直な交差するチャネルのチャネルの各チャネルと交差する少なくとも１つの円形チャネルとを含み、前記チャネルは、０．５ミリメートル±０．１ミリメートルの幅と、約０．３ミリメートル±０．１ミリメートルの深さとを有し、前記底壁の前記上面は、前記レセプタクルの前記底壁の前記上面の測定される表面張力が天然水についての表面張力である７２ダイン／センチメートル以上であるように処理される、請求項１５に記載のピペット操作容器。